(57)【要約】【課題】  立体加飾部を目立たせて外観品質を確実に向上させることができる車両用内装材の製造方法を提供する。【解決手段】  立体加飾部３の塗膜層４だけをレーザーＬにより除去するため、立体加飾部３はインストルメントパネル１の表面２の色が露出し、塗膜層４で覆われている他の一般面とは色調が異なることになる。従って、ステッチ模様の立体加飾部３が目立ち、インストルメントパネル１の外観品質が向上する。また、塗膜層４が除去された立体加飾部３の表面に、更にレーザーＬにより縒目状溝５を形成したため、光沢及び触感も、他の一般面とは異なり、外観品質がより向上する。【選択図】        図２
2007269221.tif 000002
【特許請求の範囲】
【請求項１】
立体加飾部（３）が形成された内装材（１，６）の表面（２）全体に、該表面（２）とは異なる色の塗膜層（４）を形成すると共に、該立体加飾部（３）を覆う塗膜層（４）だけをレーザー（Ｌ）により除去することを特徴とする車両用内装材の製造方法。
【請求項２】
立体加飾部（３）が形成された内装材（９）の表面（１０）全体に、エネルギーが加わった部分だけ他の部分と異なる色の変色部（１１ａ）となる不可逆性素材の塗膜層（１１）を形成すると共に、立体加飾部（３）を覆う塗膜層（１１）だけにレーザー（Ｌ）によりエネルギーを加えることを特徴とする車両用内装材の製造方法。
【請求項３】
請求項１又は請求項２記載の車両用内装材の製造方法であって、
立体加飾部（３）がステッチ模様であることを特徴とする車両用内装材の製造方法。
【請求項４】
請求項１記載の車両用内装材の製造方法であって、
レーザー（Ｌ）により塗膜層（４）が除去された立体加飾部（３）の表面に、更にレーザー（Ｌ）により微細凹凸（５，８）を形成したことを特徴とする車両用内装材の製造方法。
【請求項５】
請求項４記載の車両用内装材の製造方法であって、
微細凹凸が複数の縒目状溝（５）であることを特徴とする車両用内装材の製造方法。
【請求項６】
請求項４記載の車両用内装材の製造方法であって、
微細凹凸が複数の円形凹部（８）であることを特徴とする車両用内装材の製造方法。
【発明の詳細な説明】
【技術分野】
【０００１】
本発明は、車両用内装材の製造方法に関するものである。
【背景技術】
【０００２】
車両用内装材として、例えばインストルメントパネルの表面には、外観品質を高めるためにステッチ模様の立体加飾部が形成される。この立体加飾部は、インストルメントパネルの最も表面側を構成する部材（例えば表皮材）の表面に一体的に形成されている（例えば、特許文献１参照。）。
【特許文献１】特開昭５５−１２１０１８号公報
【発明の開示】
【発明が解決しようとする課題】
【０００３】
しかしながら、このような従来の技術にあっては、内装材の表面にステッチ模様の立体加飾部を形成しているものの、立体加飾部と、その他の一般面との色調が同じであるため、立体加飾部が目立ちにくく、外観品質を高める効果が不十分であった。
【０００４】
本発明は、このような従来の技術に着目してなされたものであり、立体加飾部を目立たせて外観品質を確実に向上させることができる車両用内装材の製造方法を提供するものである。
【課題を解決するための手段】
【０００５】
請求項１記載の発明は、立体加飾部が形成された内装材の表面全体に、該表面とは異なる色の塗膜層を形成すると共に、該立体加飾部を覆う塗膜層だけをレーザーにより除去することを特徴とする。
【０００６】
請求項２記載の発明は、立体加飾部が形成された内装材の表面全体に、エネルギーが加わった部分だけ他の部分と異なる色の変色部となる不可逆性素材の塗膜層を形成すると共に、立体加飾部を覆う塗膜層だけにレーザーによりエネルギーを加えることを特徴とする。
【０００７】
請求項３記載の発明は、立体加飾部がステッチ模様であることを特徴とする。
【０００８】
請求項４記載の発明は、レーザーにより塗膜層が除去された立体加飾部の表面に、更にレーザーにより微細凹凸を形成したことを特徴とする。
【０００９】
請求項５記載の発明は、微細凹凸が複数の縒目状溝であることを特徴とする。
【００１０】
請求項６記載の発明は、微細凹凸が複数の円形凹部であることを特徴とする。
【発明の効果】
【００１１】
請求項１記載の発明によれば、立体加飾部を覆う塗膜層だけをレーザーにより除去するため、立体加飾部は内装材の表面の色が露出し、塗膜層で覆われているその他の表面とは色調が異なることになる。従って、立体加飾部が目立ち、内装材の外観品質が向上する。
【００１２】
請求項２記載の発明によれば、立体加飾部を覆う塗膜層だけをレーザーにより変色させるため、立体加飾部は、未変色の塗膜層で覆われているその他の表面とは色調が異なることになる。従って、立体加飾部が目立ち、内装材の外観品質が向上する。
【００１３】
請求項３記載の発明によれば、立体加飾部がステッチ模様であるため、内装材にステッチ意匠を付与することができる。
【００１４】
請求項４記載の発明によれば、塗膜層が除去された立体加飾部の表面に、更にレーザーにより微細凹凸を形成したため、光沢及び触感も、その他の表面とは異なり、外観品質が更に向上する。
【００１５】
請求項５記載の発明によれば、微細凹凸が縒目状溝であるため、立体加飾部が更にステッチ状に見える。
【００１６】
請求項６記載の発明によれば、微細凹凸が円形凹部であるため、立体加飾部に毛羽立ち感を与えることができる。
【発明を実施するための最良の形態】
【００１７】
本発明は、立体加飾部を目立たせて外観品質を確実に向上させることができる車両用内装材の製造方法を提供するという目的を、立体加飾部が形成された内装材の表面全体に、該表面とは異なる色の塗膜層を形成すると共に、該立体加飾部を覆う塗膜層だけをレーザーにより除去すること、また、立体加飾部が形成された内装材の表面全体に、エネルギーが加わった部分だけ他の部分と異なる色の変色部となる不可逆性素材の塗膜層を形成すると共に、立体加飾部を覆う塗膜層だけにレーザーによりエネルギーを加えることで、実現した。以下、本発明の実施例を図面に基づいて説明する。
【実施例１】
【００１８】
図１〜図５は、本発明の第１実施例を示す図である。車両用の内装材であるインストルメントパネル１は、芯材、パッド材、表皮材等の多層構造となっており、その表面２は樹脂で形成されている。インストルメントパネル１の表面２には、外観品質を高めるために立体加飾部３が一体的に形成されている。立体加飾部３は連続したステッチ模様を呈した形状で、その部分だけ表面２から隆起している。
【００１９】
インストルメントパネル１の表面２には、立体加飾部３も含んだ状態で、全面に塗膜層４が形成されている。塗膜層４は、インストルメントパネル１の表面２の色とは異なる色を有している。
【００２０】
そして、インストルメントパネル１の表面２に形成された塗膜層４のうち、立体加飾部３を覆っている部分だけを、レーザーＬにより除去する。そうすると、立体加飾部３の部分だけ、塗膜層４とは異なる表面２の色が露出する。
【００２１】
次に、塗膜層４が除去されて露出した立体加飾部３の表面に、更にレーザーＬにより、微細凹凸としての縒目状溝５を形成する。
【００２２】
以上説明したように、この実施例によれば、立体加飾部３の塗膜層４だけをレーザーＬにより除去するため、立体加飾部３はインストルメントパネル１の表面２の色が露出し、塗膜層４で覆われている他の一般面とは色調が異なることになる。従って、ステッチ模様の立体加飾部３が目立ち、インストルメントパネル１の外観品質が向上する。
【００２３】
また、塗膜層４が除去された立体加飾部３の表面に、更にレーザーＬにより縒目状溝５を形成したため、光沢及び触感も、他の一般面とは異なり、外観品質がより向上する。表面２の硬度を、塗膜層４よりも低くしておけば、露出した立体加飾部３が柔らかくなり、触感が更に向上する。
【００２４】
立体加飾部３にステッチ模様を想像させる縒目状溝５を形成したため、視覚の面で糸で縫製したのと錯覚しやすくなり、立体加飾部３の擬似加飾としての意匠性が向上する。
【実施例２】
【００２５】
図６は、本発明の第２実施例を示す図である。この実施例に係るインストルメントパネル６では、塗膜層４を除去した立体加飾部３の表面に、微細凹凸としての円形凹部８を多数形成した。従って、立体加飾部３に毛羽立ち感を与えることができ、立体加飾部３の擬似加飾としての意匠性が向上する。
【実施例３】
【００２６】
図７及び図８は、本発明の第３実施例を示す図である。この実施例に係るインストルメントパネル９において、最初に立体加飾部３を含む表面１０全体に塗膜層１１が形成されるが、この塗膜層１１は先の実施例とは種類が異なる。すなわち、この塗膜層１１はレーザーＬによるエネルギーを受けると、受けた部分だけが他の色に変色して変色部１１ａとなる性質を有している。いったん変色した変色部１１ａが元の色に戻らないように、塗膜層１１は不可逆性素材で形成されている。
【００２７】
従って、この塗膜層１１をインストルメントパネル９の表面１０全体に形成した後、立体加飾部３を覆っている部分だけにレーザーＬを照射してエネルギーを加えと、立体加飾部３を覆っている部分だけが、他の塗膜層１１とは異なる色の変色部１１ａになる。従って、ステッチ模様の立体加飾部３が目立ち、インストルメントパネル９の外観品質が向上する。
【産業上の利用可能性】
【００２８】
以上の実施例では、立体加飾部３としてステッチ模様を例にしたが、これに限定されず、その他の加飾形状であっても良い。また、内装材としても、インストルメントパネル１、６、９に限定されず、その他のものであっても良い。
【図面の簡単な説明】
【００２９】
【図１】本発明の第１実施例に係るインストルメントパネルを示す断面図。
【図２】図１の塗膜層をレーザーにより除去した状態を示すインストルメントパネルの断面図。
【図３】図１の塗膜層を除去する前のインストルメントパネルを示す平面図。
【図４】図２の塗膜層を除去した後のインストルメントパネルを示す平面図。
【図５】図２中矢示ＤＡ部分を示す拡大断面図。
【図６】本発明の第２実施形態に係るインストルメントパネルを示す平面図。
【図７】本発明の第３実施形態に係るインストルメントパネルを示す断面図。
【図８】図７のインストルメントパネルを示す平面図。
【符号の説明】
【００３０】
１、６、９  インストルメントパネル（内装材）
２、１０  表面
３  立体加飾部
４、１１  塗膜層
５  縒目状溝（微細凹凸）
８  円形凹部（微細凹凸）
１１ａ  変色部
Ｌ  レーザー
【図１】
2007269221.tif 000003
【図２】
2007269221.tif 000004
【図３】
2007269221.tif 000005
【図４】
2007269221.tif 000006
【図５】
2007269221.tif 000007
【図６】
2007269221.tif 000008
【図７】
2007269221.tif 000009
【図８】
2007269221.tif 000010